(57)【要約】【課題】  手洗いに近い浴槽洗浄を実現する洗浄機能付き浴槽を提供する。【解決手段】  本発明に係る洗浄機能付き浴槽は、浴槽１の裏面側に所定の配置で設けた筒状のレール２と、レール２内を移動可能であり第１の磁性部材３１を含む第１の移動体３と、浴槽１の表面側に設けた洗浄部材４１と第１の磁性部材３１と磁力で互いに引き合う第２の磁性部材４２とを有した第２の移動体４と、レール２内に流体を噴出する流体噴出部５と、前記各部を制御する制御部７とを備えた構成であり、浴槽１の表面側の浴水に対して洗剤を注入し、第１の移動体３を流体にてレール２内で移動させることで、第１の移動体３と磁力で吸着させ連動する第２の移動体４の洗浄部材４１を入浴面に対して摺動させ浴槽１を洗浄する。【選択図】図２
2006192096.tif 000002
【特許請求の範囲】
【請求項１】
浴槽の入浴面である表面側を洗浄する洗浄機能付き浴槽であって、
浴槽の裏面側に所定の配置で設けた筒状のレールと、
該レール内を移動可能であり第１の磁性部材を含む第１の移動体と、
浴槽の表面側に設けた洗浄部材と前記第１の磁性部材と磁力で互いに引き合う第２の磁性部材とを有した第２の移動体と、
前記レール内に流体を噴出する流体噴出部と、
前記各部を制御する制御部と、を備え、
浴槽の表面側の浴水に対して洗剤を注入し、前記第１の移動体を前記流体にて前記レール内で移動させることで、前記第１の移動体と磁力で吸着させ連動する第２の移動体の前記洗浄部材を前記入浴面に対して摺動させ浴槽を洗浄することを特徴とする洗浄機能付き浴槽。
【請求項２】
前記レール内を移動可能な大きさの弾性部材で前記第１の磁性部材を覆って前記第１の移動体を形成した請求項１に記載の洗浄機能付き浴槽。
【請求項３】
前記レールは、内面に第１のギア部を備えるとともに、前記第１の移動体は、表面に前記第１のギア部に対して歯合し回動可能である第２のギア部を周囲に備えた請求項１又は請求項２に記載の洗浄機能付き浴槽。
【請求項４】
前記流体噴出部又は前記流体噴出部の近傍に流体圧を検出する圧力センサ部を設け、前記制御部は、前記圧力センサ部にて検出した流体圧が予め定めた値を超えた場合に前記流体の噴出を停止する機能を備えた請求項１乃至請求項３のいずれかに記載の洗浄機能付き浴槽。
【請求項５】
洗剤を保持する洗剤タンク部と、該洗剤タンク部から浴槽に洗剤を注入する洗剤注入部と、予め定めた所定量まで浴水を排水する排水調整部と、を備え、前記制御部は、前記洗剤タンク部、前記洗剤注入部及び前記排水調整部を制御する機能を備えた請求項１乃至請求項４のいずれかに記載の洗浄機能付き浴槽。
【発明の詳細な説明】
【技術分野】
【０００１】
本発明は、浴槽の入浴面である表面側を洗浄する洗浄機能付き浴槽に関するものである。
【背景技術】
【０００２】
従来から、浴槽の掃除は、ユーザーがスポンジに洗剤を含ませ水を用いて手作業で洗浄する方法が一般的に行われている。
【０００３】
このような手作業によるユーザーの負担を低減した従来の浴槽清掃装置としては、浴槽に洗浄を噴霧し、その後水道水で浴槽内を洗浄する浴槽洗浄装置を挙げることができる。
【０００４】
また、他の従来の浴槽清掃装置としては、本体が浴水（例えば、浴槽内の入浴後の残り湯）に浮遊して、給水口から供給された残り湯を浴水面より上方側に高圧で噴出する噴出部を備え、残り湯を利用して浴槽内を洗浄するものを挙げることができる（例えば、特許文献１参照。）。
【特許文献１】特開２０００−９３３３８号公報
【発明の開示】
【発明が解決しようとする課題】
【０００５】
ところが、ユーザーの手作業の負担を低減した上述のような浴槽清掃装置においては、ユーザーの手作業がなくなっているためユーザーの肉体的負担は低減しているが、浴槽洗浄方法がスポンジによる洗浄とは異なるため、高い満足感、更に手洗いに近い浴槽洗浄を期待するユーザーのニーズがあった。
【０００６】
本発明は上記問題点を改善するためになされたものであり、手洗いに近い浴槽洗浄を実現し洗浄機能付き浴槽を提供することを目的とするものである。
【課題を解決するための手段】
【０００７】
上述の目的を達成するために、本発明の請求項１に係る洗浄機能付き浴槽は、浴槽の入浴面である表面側を洗浄する洗浄機能付き浴槽であって、浴槽の裏面側に所定の配置で設けた筒状のレールと、該レール内を移動可能であり第１の磁性部材を含む第１の移動体と、浴槽の表面側に設けた洗浄部材と前記第１の磁性部材と磁力で互いに引き合う第２の磁性部材とを有した第２の移動体と、前記レール内に流体を噴出する流体噴出部と、前記各部を制御する制御部と、を備え、浴槽の表面側の浴水に対して洗剤を注入し、前記第１の移動体を前記流体にて前記レール内で移動させることで、前記第１の移動体と磁力で吸着させ連動する第２の移動体の前記洗浄部材を前記入浴面に対して摺動させ浴槽を洗浄する。
【０００８】
また、本発明の請求項２に係る洗浄機能付き浴槽は、請求項１に記載の洗浄機能付き浴槽において、前記レール内を移動可能な大きさの弾性部材で前記第１の磁性部材を覆って前記第１の移動体を形成する。
【０００９】
また、本発明の請求項３に係る洗浄機能付き浴槽は、請求項１又は請求項２に記載の洗浄機能付き浴槽において、前記レールは、内面に第１のギア部を備えるとともに、前記第１の移動体は、表面に前記第１のギア部に対して歯合し回動可能である第２のギア部を周囲に備えている。
【００１０】
また、本発明の請求項４に係る洗浄機能付き浴槽は、請求項１乃至請求項３のいずれかに記載の洗浄機能付き浴槽において、前記流体噴出部又は前記流体噴出部の近傍に流体圧を検出する圧力センサ部を設け、前記制御部は、前記圧力センサ部にて検出した流体圧が予め定めた値を超えた場合に前記流体の噴出を停止する機能を備えている。
【００１１】
また、本発明の請求項５に係る洗浄機能付き浴槽は、請求項１乃至請求項４のいずれかに記載の洗浄機能付き浴槽において、洗剤を保持する洗剤タンク部と、該洗剤タンク部から浴槽に洗剤を注入する洗剤注入部と、予め定めた所定量まで浴水を排水する排水調整部と、を備え、前記制御部は、前記洗剤タンク部、前記洗剤注入部及び前記排水調整部を制御する機能を備えている。
【発明の効果】
【００１２】
このような構成の洗浄機能付き浴槽は、予め定めた所定量まで排水した浴水に対して洗剤を注入し、流体にて第１の移動体をレール内で移動させることで、第１の移動体と磁力で吸着させ連動する第２の磁性部材の洗浄部材を入浴面に対して押しつけるようにして動かすことで、ユーザーの負担を軽減することは勿論、手洗いに近い風合いにて浴槽の入浴面側を自動洗浄することができる。また、浴槽の洗浄方法自体は、ユーザーがスポンジを用い手作業にて浴槽の入浴面側を洗浄する場合と同じ洗浄方法であるので、ユーザーに高い満足感を与えることができる。
【発明を実施するための最良の形態】
【００１３】
以下、本発明に係る実施形態を図面に基づいて説明する。なお、各図において、同一の符号を付した構成は、同一の構成であることを示し、その説明を省略する。
【００１４】
本発明の実施形態（以降、本実施形態と称する。）を図１乃至図５に基づいて説明する。図１は、本発明の本実施形態に係る洗浄機能付き浴槽の浴槽本体のみを示す斜視図であり、図２は、洗浄機能付き浴槽の駆動装置を含む部位を示すブロック図（図２（ａ））及び駆動装置の一部を模式化した説明図（図２（ｂ））である。また、図３は、レールの断面形状を示した斜視図、断面図（図３（ａ）、（ｂ））及びレールの配置例を示した展開図（図３（ｃ））である。また、図４は、第１の移動体を示す説明図（図４（ａ）が斜視図であり、（ｂ）が平面図であり、（ｃ）が断面図）である。また、図５は、第２の移動体を示す斜視図である。説明図（図５（ａ）が斜視図であり、（ｂ）が平面図であり、（ｃ）が断面図であり、（ｄ）が他の斜視図）である。図６は、第１の移動体と第２の移動体との連動模様を示す説明図である。
【００１５】
ここで、本実施形態においては、洗浄機能付き浴槽は、底面部１１と側面部１２の裏面側に空間１３を備えた二重構造の浴槽本体１（以降、浴槽１と称する。）と、空間１３に所定の配置で設けた筒状のレール２と、浴槽１の入浴面である表面側（以降、浴槽入浴面と称する。）に設けた洗浄部材４１と後述する第１の磁性部材３１と磁力で互いに引き合う第２の磁性部材４２とを有した第２の移動体４と、第２の移動体４を浴槽入浴面側で駆動させる駆動装置５０と、洗剤（不図示）を保持する空間１３等所望の箇所に形成された洗剤タンク部６０と、洗剤タンク部６０から浴槽入浴面に洗剤を注入する洗剤注入部６１と、予め定めた所定量まで浴水（不図示）を排水口（不図示）から排水する排水調整部６２とを備えた構成である。なお、洗剤注入部６１は、浴槽入浴面側に洗剤を流し込めるような所望の箇所に形成されていればよい。また、以降、浴槽入浴面の洗浄を浴槽１の洗浄と称する。浴槽１は、図１（ａ）〜（ｃ）に示すように、内側構造体１ａと外側構造体１ｂの２つの構造体が組み合わされ空間１３を形成する二重構造を構成している。
【００１６】
ここで、駆動装置５０は、図２に示すように、レール２内を移動可能であり第１の磁性部材３１を含む第１の移動体３と、レール２内にレール始点ＳＰからレール終点ＦＤの間に空気、水等の流体（不図示）を噴出するとともに流体を回収する流体噴出部５と、流体噴出部５又は流体噴出部５の近傍に設けた流体圧を検出する圧力センサ部６である圧力センサと、前記各部を制御するとともに圧力センサ部６にて検出した流体圧が予め定めた値を超えた場合に流体の噴出を停止する機能を備えた制御部７と、を有した構成である。
【００１７】
流体噴出部５は、本実施形態では、図２（ｂ）に示すように、レール始点ＳＰとレール終点ＦＤとに接続可能な配管５１を備え、流体を筒状のレール２中に一定方向に流す機能を備えている。なお、流体噴出部５及び制御部７は、流体の流れ方向を切り替えるスイッチ機能を備えていてもよい。つまり、制御部７は、流体噴出部５へ流体の噴出方向を逆転するように制御し、第１の移動体を再びレール始点ＳＰへ向かって移動させてもよい。なお、レール始点ＳＰ、レール終点ＦＤは、浴槽入浴面側にも、ユーザーが見てその位置が分かるようにマーキングされている。
【００１８】
また、制御部７に移動回数をカウンタするカウンタ機能を設けて、第１の移動体３の移動回数をカウントし、所定の移動回数に到達した場合に、浴槽１の洗浄を停止するようにしてもよい。
【００１９】
圧力センサ部６は、本実施形態では、流体噴出部５の配管５１に設けているが、流体噴出部５の近傍のレール２内に設けてもよい。
【００２０】
また、制御部７は、洗剤注入部６１、排水調整部６２を制御する機能を更に備えている。なお、制御部７は、浴水の量を設定したり、第１の移動体３の移動方向を設定したり、浴水の量に見合う洗剤の量を設定したり、浴槽１の洗浄を開始するための入力手段（不図示）を備えていている。また、制御部７は、圧力センサ部６にて検出した流体圧が予め定めた値を超えた後に、流体噴出部５からの流体の噴出をストップする機能を備えている。つまり、圧力センサ部６が流体噴出部５の配管５１やレール２部分での詰まり等、何らかの原因で流体圧が高まった場合に、制御部７へ圧力異常を通知して、制御部７が流体噴出部５からの流体の噴出を停止させる。
【００２１】
レール２は、図３（ａ）、（ｂ）に示すように、内部が中空の断面が四角形状の筒状をしており、樹脂等の第１の磁性部材３１が磁力にて吸着しない材料で形成され、その中空部の断面形状は第１の移動体３の断面形状と略同一である。なお、レール２の内部は、空気、水等の流体が充填されている。レール２の内面、例えば一方の側面２１には、凹凸形成した第１のギア２２を備えている。
【００２２】
また、図１（ｂ）のＡ矢印方向から浴槽１の内側構造体１ａを展開した形で見てレール２を配置した図が図３（ｃ）である。図３（ｃ）に示すように、レール２は、底面部１１、側面部１２の裏面側面全体を通過するように一筆書状に配置（例えば、周期的に底面部１１、側面部１２を通過するように配置）され、所望の方法にて固定されている。ここで、レール２は、図２に示すように、そのレール始点ＳＰ、レール終点ＦＤに第１の移動体３が接触した場合にそのことを検知するスイッチＳＷを備えている。
【００２３】
第１の移動体３は、図４に示すように、例えば円柱状の２つの第１の磁性部材３１の周囲を弾性部材３２で覆って円柱状に形成したものであり、その円柱の側面３３は、レール２に設けた第１のギア２２と歯合可能な凹凸形成した第２のギア３４を全周にわたり備えている。なお、レール２が曲線状に配置された場合には、第１の移動体３がレール２中を更に自由に移動しやすくするために、第１の磁性部材３１を、ゴム、樹脂等の弾性部材３２で覆うことが好ましい。なお、図４（ａ）は、第１の移動体３を示す斜視図であり、図４（ｂ）は、図４（ａ）の上面側から見た平面図であり、図４（ｃ）は、図４（ｂ）のＢ−Ｂ断面での断面図である。
【００２４】
レール２に第１のギア２２を設け、第１の移動体３に第１のギア２２と歯合する第２のギア３４を設けることは、レール２内で流体を用いて第１の移動体３を回転させて移動させることにより、第１の移動体３及び第２の移動体４を回転させることにより、洗浄力を増すとともに、手洗いの風合いを出すことができる。
【００２５】
第２の移動体４は、図５（ａ）〜（ｃ）に示すように、少なくとも浴槽入浴面側に洗浄部材４１であるスポンジを備えており、スポンジの内部に例えば円柱状の２つの第２の磁性部材４２を内蔵している。なお、図５（ａ）は、第２の移動体４を示す斜視図であり、図５（ｂ）は、図５（ａ）の上面側から見た平面図であり、図５（ｃ）は、図４（ｂ）のＣ−Ｃ断面での断面図である。第２の磁性部材４２は、洗浄面を傷つけないように第２の移動体４を構成すればよく、図５（ａ）〜（ｃ）に示すように洗浄部材４１に内蔵されていても、図５（ｄ）に示すように、円柱状の上面一部を取り除いた洗浄部材４１に第２の磁性部材４２を表面を露出させ一体化されていてもよい。なお、第２の移動体４の第２の磁性部材４２は、磁力にて回転させるために、磁力の強さに関して、第２の移動体４を回転させるために、平面視において中心から点対称であることが好ましい。本実施形態では、洗浄部材４１は、円柱状であるが、角柱状、球状等所望の形状であってもよい。
【００２６】
また、第２の磁性部材４２は、第１の磁性部材３１と磁力で互いに引き合う磁性部材であればよく、例えば、第１の磁性部材３１が磁石の場合、第２の磁性部材４２が強磁性体であったり、第２の磁性部材４２が磁石の場合、第１の磁性部材３１が強磁性体であってもよい。また、第１の磁性部材３１と第２の磁性部材４２がお互い磁力にて引き合うように浴槽入浴面側及びレール２内に配置された磁石であってもよい。なお、第１の磁性部材３１と第２の磁性部材４２は、第１の移動体３の弾性部材３２、レール２、底面部１１、側面部１２及び第２の移動体４の洗浄部材４１を介した状態でお互い引き合い第２の移動体４の洗浄部材４１を浴槽入浴面に洗浄可能な程度の圧力で押しつけ可能な程度の磁力が必要である。弾性部材３２、レール２、浴槽１及び第２の移動体４の洗浄部材４１の各材料としては、第１の磁性部材３１と第２の磁性部材４２との間の磁力による吸着を阻害しない材料であれば特に限定はしない。
【００２７】
以下に、洗浄機能付き浴槽の動作を説明する。まず、ユーザーは、制御部７の入力手段を介して、浴槽１内の入浴後の残り湯の浴水の残量、残量に見合う洗剤の量を設定する。制御部７は、排水調整部６２を制御して、浴槽１に所定量に浴水が残るように排水する。その次に、制御部７は、洗剤タンク部６０、洗剤注入部６１を制御して洗剤注入部６１から浴水に洗剤を注入する。ユーザーは、第２の移動体４を浴槽入浴面のレール始点ＳＰ、つまり洗浄始点位置に洗浄部材４１を洗浄面となるようセッティングし、第２の移動体４と第１の移動体３とを磁力で吸着させる。ユーザーは、制御部７の入力手段を介して浴槽１の洗浄を開始し、制御部７は、流体噴出部５から流体を噴出させ、第１の移動体３をレール始点ＳＰからレール終点ＦＤへと移動させることで、第２の移動体４が第１の移動体３と連動して移動し、図６に示すように、洗浄部材４１が浴槽入浴面を接触しながらスリ動くことで浴槽１の洗浄を行う。なお、第１の移動体３が、レール終点ＦＤへ到達するとスイッチＳＷが作動し、スイッチＳＷから制御部７へ第１の移動体３がレール終点ＦＤに到達したことを通知する。制御部７は、この通知を受けて流体噴出部５へ流体の噴出を停止するように命令する。なお、図６は、第１の移動体３、第２の移動体４、レール２、及び浴槽１の底面部１１、側面部１２の位置関係を模式的に示した説明図、断面図である。
【００２８】
本実施形態に係る洗浄機能付き浴槽は、予め定めた所定量まで排水した浴水に対して洗剤を注入し、流体にて第１の移動体３をレール２内で移動させることで、第１の移動体３と磁力で吸着させ連動する第２の移動体４の洗浄部材４１を入浴面に対して押しつけるようにして動かすことで、ユーザーの負担を軽減することは勿論、手洗いに近い風合いにて浴槽１の洗浄を自動で行うことができる。  
【００２９】
また、浴槽の洗浄方法自体は、ユーザーがスポンジを用い手作業にて浴槽１の洗浄を行う場合と同じ洗浄方法であるので、ユーザーに高い満足感を与えることができる。
【００３０】
また、レール２内を移動可能な大きさの弾性部材３２で第１の磁性部材３１を覆うことで、レール２が曲線状に配置された場合でも、第１の移動体３がレール中を自由に移動しやすくなる。
【００３１】
また、レール２に第１のギア２２を設け、第１の移動体３に第１のギア２２と歯合する第２のギア３４を設けることは、レール２内で流体を用いて第１の移動体３を回転させて移動させることにより、第１の移動体３及び第２の移動体４を回転させることにより、洗浄力を増すとともに、手洗いの風合いを出すことができる。
【００３２】
また、圧力センサ部６を流体噴出部５又は流体噴出部５の近傍に配置することで、流体噴出部５の配管５１やレール２部分での詰まり等何らかの原因で流体圧が高まった場合に、制御部７へ圧力異常を通知して、流体噴出部５からの流体の噴出を停止させることができ、流体噴出部５の故障を事前に防ぐことができる。
【００３３】
なお、本実施形態においては、浴水の残量の確保、洗剤の注入を、制御部７にて洗剤注入部６１と、排水調整部６２とを制御しているが、ユーザーが手動で行うこともできる。この場合でも、ユーザーの負担を軽減することは勿論、手洗いに近い風合いにて浴槽１の洗浄を自動で行うことができ、ユーザーに高い満足感を与えることができる。
【００３４】
また、本実施形態において、洗浄機能付き浴槽は、浴槽１にすすぎ用の水（不図示）を投入又は噴出する水供給部（不図示）を備えたり、水供給部で追加したすすぎ水を所定量まで自動で排水する機能を排水調整部６２に備え、制御部７が水供給部、排水調整部６２を制御するような構成にしてもよい。この場合、浴槽１の洗浄効果がより向上する。
【図面の簡単な説明】
【００３５】
【図１】本発明の実施形態に係る洗浄機能付き浴槽の浴槽本体を示す斜視図である。
【図２】本発明の実施形態に係る洗浄機能付き浴槽の駆動装置を含む部位を示すブロック図、説明図である。
【図３】本発明の実施形態に係るレールの断面形状を示した斜視図、展開図である。
【図４】本発明の実施形態に係る第１の移動体を示す説明図である。
【図５】本発明の実施形態に係る第２の移動体を示す説明図である。
【図６】本発明の実施形態に係る第１の移動体、第２の移動体の連動模様を示す説明図である。
【符号の説明】
【００３６】
１  浴槽
２  レール
３  第１の移動体
４  第２の移動体
５  流体噴出部
６  圧力センサ部
７  制御部
１１  底面部
１２  側面部
１３  空間
２１  側面
２２  第１のギア
３１  第１の磁性部材
３２  弾性部材
３３  側面
３４  第２のギア
４１  洗浄部材
４２  第２の磁性部材
５０  駆動装置
５１  配管
６０  洗剤タンク部
６１  洗剤注入部
６２  排水調整部
ＳＰ  レール始点
ＦＤ  レール終点
ＳＷ  スイッチ
【図１】
2006192096.tif 000003
【図２】
2006192096.tif 000004
【図３】
2006192096.tif 000005
【図４】
2006192096.tif 000006
【図５】
2006192096.tif 000007
【図６】
2006192096.tif 000008